(57)【要約】【課題】球通路から受皿に球を適切に払い出せるようにする。【解決手段】球通路１３から排出される球の方向（矢印Ｘ１）と、上受皿１６の底面２６を流れる球の方向（矢印Ｘ２）とが同じ方向であり、球Ｐが球通路１３から上受皿１６に払い出される場合、矢印Ｘ１で示すように、上方から下方に行くにしたがって右側から左側に弧状に曲がるように誘導されつつ、上受皿１６の矢印Ｘ２で示す方向に下り勾配になった底面２６に飛び跳ねることなく排出され、球Ｐが矢印Ｘ３で示すように上受皿１６への衝突地点よりも後方に反射されて球通路構造体１２の下部と上受皿１６の前壁との間の隙間ｄから上受皿１６の外部に飛び出さない。【選択図】図１
2009039425.tif 000002
【特許請求の範囲】
【請求項１】
遊技機枠の前部の球通路から遊技機枠の前部の受皿に球を払い出す遊技機の球払出装置において、受皿における球通路から排出された球を受ける底面が右側から左側への下り勾配を有する斜面として構成され、球通路が球を上方から下方に行くにしたがって右側から左側に弧状に曲がるように誘導する形状に構成されるか、または、受皿における球通路から排出された球を受ける底面が左側から右側への下り勾配を有する斜面として構成され、球通路が球を上方から下方に行くにしたがって左側から右側に弧状に曲がるように誘導する形状に構成されたことを特徴とする遊技機の球払出装置。
【発明の詳細な説明】
【技術分野】
【０００１】
本発明は、遊技機枠の前部の球通路から遊技機枠の前部の受皿に球を適切に払い出せる遊技機の球払出装置に関する。
【背景技術】
【０００２】
パチンコ遊技機などのパチンコ球と呼ばれる球を遊技媒体として使用する遊技機の球払出装置には、特許文献１で開示されたように、払出機構から排出された球を遊技機枠の前部の球通路から遊技機枠の前部の受皿に払い出すものが知られている。しかしながら、球通路から受皿に払い出された球が、受皿の内部で上方に飛び跳ねて受皿の外部に飛び出すことがあるという欠点がある。
【特許文献１】特開２００６−６８２３８公報
【発明の開示】
【発明が解決しようとする課題】
【０００３】
発明が解決しようとする問題点は、球通路から受皿に払い出された球が、受皿の内部で上方に飛び跳ねて受皿の外部に飛び出すことがあるという点である。
【課題を解決するための手段】
【０００４】
本発明に係る遊技機の球払出装置は、遊技機枠の前部の球通路から遊技機枠の前部の受皿に球を払い出す遊技機の球払出装置において、受皿における球通路から排出された球を受ける底面が右側から左側への下り勾配を有する斜面として構成され、球通路が球を上方から下方に行くにしたがって右側から左側に弧状に曲がるように誘導する形状に構成されるか、または、受皿における球通路から排出された球を受ける底面が左側から右側への下り勾配を有する斜面として構成され、球通路が球を上方から下方に行くにしたがって左側から右側に弧状に曲がるように誘導する形状に構成されたことを最も主要な特徴とする。
【発明の効果】
【０００５】
本発明に係る遊技機の球払出装置は、球通路から排出される球の方向と、受皿の底面を流れる球の方向とが同じ方向であるので、球が球通路から受皿に飛び跳ねることなく適切に払い出せるという利点がある。
【発明を実施するための最良の形態】
【０００６】
図１のａ図は、球通路構造体１２の球通路１３と上受皿１６との周りの正面を示す。図１のｂ図は、図１のａ図をＡ−Ａ線に沿って切断した断面を示す。図２は、遊技機枠１を示す。本明細書において、「前」、「後」、「左」、「右」、「上」、「下」の方向は、図２の状態に遊技機枠１を置いて矢印Ｓで示す前側から見た場合に特定される方向である。
【０００７】
図１を参照し、球が球通路構造体１２の球通路１３から上受皿１６に払い出される部分について説明する。図１のａ図において、球通路１３の下部は、矢印Ｘ１で示すように、球を上方から下方に行くにしたがって右側から左側に弧状に曲がるように誘導しつつ排出する形状に構成される。上受皿１６における通路出口１５から排出された球を受ける底面２６は、矢印Ｘ２で示すように、右側から左側への下り勾配を有する斜面として構成される。よって、球通路１３から払い出される球Ｐの方向（矢印Ｘ１）と、上受皿１６の底面２６を流れる球の方向（矢印Ｘ２）とが同じ方向であるので、球が球通路１３から上受皿１６に飛び跳ねることなく円滑に着地し、球が球通路１３から上受皿１６に適切に払い出されるという利点がある。
【０００８】
図１のｂ図において、上受皿１６における通路出口１５から排出された球を受ける底面２６は、前方から後方への下り勾配を有する斜面として構成される。通路出口１５は、上受皿１６の後壁の方に片寄って配置される。よって、球通路１３から上受皿１６の底面２６に向けて払い出される球Ｐが矢印Ｘ３で示すように底面２６から上方に飛び跳ねたとしても、当該飛び跳ねた球Ｐが底面２６への衝突地点から後方に反射されるので、当該飛び跳ねた球Ｐが球通路構造体１２の下部と上受皿１６の前壁との間の隙間ｄから上受皿１６の外部に飛び出さないという利点がある。
【０００９】
図２において、遊技機としてパチンコ遊技機を例として説明する。パチンコ遊技機は、遊技機枠１の内部に図外の遊技盤を交換可能に取り付ける形態である。遊技機枠１は、固定枠２の前部に可動枠３を開閉可能に備える。固定枠２は、遊技機設置設備に固定される。遊技機設置設備は、パチンコ遊技機を設置する遊技店の島と呼ばれる設備である。可動枠３は、遊技盤や図外の制御装置など遊技に必要な部品を取り付ける前枠とも呼ばれ、左側に位置するヒンジ４を中心とし、固定枠２の前で前方に開かれかつ後方に閉じられるように、片開き可能である。
【００１０】
可動枠３には、上前扉５、下前扉６、タンク７、払出機構８、施錠装置９、図外の発射機構などが設けられる。上前扉５および下前扉６は、左側に位置する図外のヒンジを中心とし、可動枠３の前で前方に開かれかつ後方に閉じられるように、片開き可能である。上前扉５には、窓１０、窓パネル１１、球通路構造体１２などが設けられる。球通路構造体１２には、球通路１３、通路入口１４、通路出口１５が設けられる。
【００１１】
下前扉６には、上受皿１６、下受皿１７、オーバーフロー通路１８、オーバーフロー入口１９、オーバーフロー出口２０、発射操作機構２１、上球抜操作部２２、下球抜操作部２３、下球抜孔２４、下球抜蓋２５などが設けられる。上受皿１６における通路出口１５から排出された球を受ける底面２６は、右側から左側への下り勾配および前方から後方への下り勾配を併有する斜面として構成される。
【００１２】
パチンコ遊技の一例について説明する。図外の遊技盤が可動枠３に装着され、可動枠３と上前扉５および下前扉６が閉じられて開閉不能に固定枠２に支持され、払出機構８が停止し、遊技機枠１の設置された図外の遊技機設置構造体の補給機構から排出されたパチンコ球と呼ばれる球がタンク７に上方から貯蔵される。
【００１３】
その状態において、遊技者が上受皿１６にパチンコ球と呼ばれる球を入れ、遊技者が発射操作機構２１を操作するのに伴い、発射機構が発射操作機構２１の操作量に応じた発射力で駆動し、発射機構が上受皿１６から遊技機枠１の内部に取り込まれた球を１個ずつ遊技盤の前面と窓パネル１１との間の遊技領域の上部に向けて発射する。遊技領域の上部に到達した球が、遊技領域を流下する過程において、図外の入賞部品に入賞すると、払出機構８が駆動し、タンク７の球が賞球として払出機構８から通路入口１４と球通路１３および通路出口１５を経由して上受皿１６に払い出される。
【００１４】
上受皿１６に球が存在する場合において、遊技者が上球抜操作部２２を操作すると、図外の上球抜扉が上受皿１６から発射機構に球を供給する供給通路を遮断するとともに当該供給通路からオーバーフロー通路１８に球を誘導する排出通路を開放し、球が上受皿１６から供給通路と排出通路およびオーバーフロー通路１８を経由して下受皿１７に排出される。
【００１５】
遊技者が上記上球抜操作部２２への操作を解放すると、図外の上球抜扉が上受皿１６から発射機構に球を供給する通路を開放するとともに上受皿１６からオーバーフロー通路１８に球を誘導する排出通路を閉鎖し、球が上受皿１６から下受皿１７に排出されなくなる。
【００１６】
下受皿１７に球が存在する場合において、遊技者が下球抜操作部２３を操作すると、下球抜蓋２５が下球抜孔２４を開放し、球が下受皿１７から下方外部に排出される。遊技者が上記下球抜操作部２３への操作を解放すると、下球抜蓋２５が下球抜孔２４を閉鎖し、球が下受皿１７から下方外部に排出されなくなる。
【００１７】
上受皿１６に球が満杯になった後において、球通路１３から上受皿１６に払い出された球は、オーバーフロー入口１９からオーバーフロー通路１８およびオーバーフロー出口２０を経由して下受皿１７に排出される。
【産業上の利用可能性】
【００１８】
図３は、発明を実施するための異なる第１の形態を示す。図３では、受皿２８の構造が最良の形態と異なる。つまり、受皿２８が図１の上受皿１６および下受皿１７のように分かれていない。受皿２８における通路出口１５から排出された球を受ける底面２６は、矢印Ｘ２で示すように、右側から左側への下り勾配を有する斜面として構成される。球通路１３の下部は、矢印Ｘ１で示すように、球を上方から下方に行くにしたがって右側から左側に弧状に曲がるように誘導しつつ排出する形状に構成される。受皿２８には、上球抜操作部２２、下球抜操作部２３、球抜孔２９、球抜蓋３０などが設けられる。
【００１９】
受皿２８に球が存在する場合において、遊技者が上球抜操作部２２を操作すると、図外の上球抜扉が受皿２８から発射機構に球を供給する通路を遮断するとともに受皿２８から下方外部に球を排出する通路を開放し、球が受皿２８から下方外部に排出される。遊技者が上記上球抜操作部２２への操作を解放すると、図外の上球抜扉が受皿２８から発射機構に球を供給する通路を開放するとともに受皿２８から下方外部に球を排出する通路を閉鎖し、球が受皿２８から下方外部に排出されなくなる。また、受皿２８に球が存在する場合において、遊技者が下球抜操作部２３を操作すると、球抜蓋３０が球抜孔２９を開放し、球が受皿２８から下方外部に排出される。遊技者が上記下球抜操作部２３への操作を解放すると、球抜蓋３０が球抜孔２９を閉鎖し、球が受皿２８から下方外部に排出されなくなる。
【００２０】
図４は、発明を実施するための異なる第２の形態を示す。図４では、球通路構造体１２を窓１０の左側を囲むように上前扉５の前部に設け、球通路１３の下部を矢印Ｘ４で示すように球を上方から下方に行くにしたがって左側から右側に弧状に曲がるように誘導しつつ排出する形状に構成し、受皿２８における通路出口１５から排出された球を受ける底面２６を矢印Ｘ５で示すように左側から右側への下り勾配を有する斜面として構成した構造が、最良の形態と異なる。つまり、球通路１３から払い出される球Ｐの方向（矢印Ｘ４）と、上受皿１６の底面２６を流れる球の方向（矢印Ｘ５）とが同じ方向である。
【００２１】
図２において、球通路構造体１２を窓１０の左側を囲むように上前扉５の前部に設け、球通路１３の下部を図４に矢印Ｘ４で示すように球を上方から下方に行くにしたがって左側から右側に弧状に曲がるように誘導しつつ排出する形状に構成し、上受皿１６における通路出口１５から排出された球を受ける底面２６を矢印Ｘ５で示すように左側から右側への下り勾配を有する斜面として構成してもよい。
【００２２】
図２乃至図４において、上前扉５および下前扉６を１体の前扉として構成してもよい。
【図面の簡単な説明】
【００２３】
【図１】ａ図は球通路と上受皿との正面図に相当する模式図、ｂ図はａ図のＡ−Ａ線断面に相当する模式図（最良の形態）。
【図２】遊技機枠の斜視図（最良の形態）。
【図３】遊技機枠の斜視図（異なる第１形態）。
【図４】遊技機枠の斜視図（異なる第２形態）。
【符号の説明】
【００２４】
１は遊技機枠、２は固定枠、３は可動枠、４はヒンジ、５は上前扉、６は下前扉、７はタンク、８は払出機構、９は施錠装置、１０は窓、１１は窓パネル、１２は球通路構造体、１３は球通路、１４は通路入口、１５は通路出口、１６は上受皿、１７は下受皿、１８はオーバーフロー通路、１９はオーバーフロー入口、２０はオーバーフロー出口、２１は発射操作機構、２２は上球抜操作部、２３は下球抜操作部、２４は下球抜孔、２５は下球抜蓋、２６は底面、２７は欠番、２８は受皿、２９は球抜孔、３０は球抜蓋。
【図１】
2009039425.tif 000003
【図２】
2009039425.tif 000004
【図３】
2009039425.tif 000005
【図４】
2009039425.tif 000006